(57)【要約】      （修正有）【課題】生ゴミの室内での悪臭,犬、猫、カラス等によるゴミ荒し、散乱、およびゴミ箱覗きによるプライバシーの侵害を防止する家庭用ダストシュートを提供する。【解決手段】  勝手場の窓格子と窓を利用し、家庭用ダスターシュートを設置する。ダスターシュートは、ゴミ箱を入れたゴミ収集ボックスに伸縮する伸縮筒を設け、伸縮筒の先に投入口を設ける。設置方法は専用窓格子の隙間に対応した調整板と調整板に対応した投入口カバーを使用し、投入口カバー固定台をセットした調整板と調整板に対応した投入口カバーの間に格子を挟み、さらに縦投入口型伸縮筒を使用し、投入口を窓格子に接触させず、上方に設け、縦投入口型伸縮筒の横部に設けられた縦投入口型伸縮筒固定台と縦投入口型伸縮筒固定板を使用して、格子を挟む。【選択図】  図１
2005231890.tif 000002
【特許請求の範囲】
【請求項１】
勝手場で悪臭等を放つ生ゴミ等を室内に居ながら、室外に設置のゴミ箱に捨てるための家庭用ダスターシュートである。
勝手場の窓格子と窓を利用した、家庭用ダスターシュートは、ゴミ箱を入れたゴミ収集ボックスに伸縮する伸縮筒を設け伸縮を調整して、伸縮筒の先に設けた投入口カバー固定台と投入口カバーの間に専用窓格子を挟んで固定するものであり、ゴミ捨て時、窓を開けて、室内に居ながら家庭用ダスターシュートの投入口にゴミを捨てると、伸縮筒内を通りゴミ収集ボックス内のゴミ箱に収納され、その後、窓を閉めることから、夜や寒い日に室外に出てゴミ捨てをすることなく、室内にゴミを溜めず、悪臭を防止する。
また、ゴミ収集ボックスの扉に鍵を設けることから、犬、猫、カラス等にゴミ箱内を荒らされることは無く、且つ、集合住宅などではプライバシーの侵害を防止する。
【請求項２】
家庭用ダスターシュートを窓格子に設置するための専用窓格子。
専用窓格子は、投入口を広く確保するためのものである。建物の構造から窓格子の使用部位がまちまちであり、自由に選択出来るよう、縦格子の下部に投入口カバーの上下の位置に横格子を２本設け、この横格子の間に取り外しが出来る短い縦格子を設けることにより、設置部の短い縦格子を外して、自由な位置に家庭用ダスターシュートを設置できる。
【請求項３】
調整板及び調整板対応投入口カバー
調整板及び調整板対応投入口カバーは、既成の窓格子に家庭用ダスターシュートの設置を可能にするものである。既成の窓格子の隙間に対応した調整板と調整板対応投入口カバーを使用し、投入口カバー固定台をセットした調整板と調整板対応投入口カバーの間に既成の窓格子を挟み固定して設置する。
【請求項４】
縦投入口型伸縮筒
縦投入口型伸縮筒は、投入口を窓格子に接触させず、上方に設けたもので、縦投入口型伸縮筒の横部に設けられた縦投入口型伸縮筒固定台と縦投入口型伸縮筒固定板を使用して、既成の窓格子に設置するものである。
縦投入口型伸縮筒は、窓格子の隙間が狭くても、投入口が広く確保できるので、縦投入口型伸縮筒蓋を開けて容易にゴミ捨てが出来る。
【発明の詳細な説明】
【技術分野】
【０００１】  本発明は、勝手場で悪臭等を放つ生ゴミ等を室内に居ながら室外に設置のゴミ箱に捨てる為の家庭用ダスターシュートに関する。
【背景技術】
【０００２】  通常、家庭内で排出されたゴミの回収は、指定日があり、その間、家庭で保管しなければならない。
一般的に生ゴミは、流し台の水切り篭で水気を切った後、勝手場内のゴミ箱に捨てられる。また、空き缶も飲みっ放しの状態で放置しがちであり、これらが、悪臭の原因となっており、梅雨時期は数時間のゴミの放置で悪臭を放つ。
室内のゴミは、悪臭の原因の他にスペースを取り邪魔になることから、ゴミ箱を室外に設け、ゴミ捨て時、室外に出てゴミ捨てをする者も少なくない。
【発明の開示】
【発明が解決しようとする課題】
【０００３】  家庭内で排出された生ゴミは、流し台の水切り篭で水気を切った後、勝手場内のゴミ箱に捨てられるが、これが、悪臭の原因となる。また、空き缶も飲みっ放しの状態で放置すれば同様であり、生ゴミ等から発生する室内での悪臭の防止。
スペースをとり邪魔になる生ゴミ等の室内からの除去。
ゴミの悪臭やゴミ置き場の邪魔なスペースを嫌って室外に設けたゴミ箱へのゴミ捨ては、夜や寒い日に面倒である。
室外のゴミ箱が単純な容器であった場合、犬、猫、カラス等にゴミ箱内のゴミを荒らされる他、集合住宅等では、ゴミ箱内を覗かれる心配もあり、動物によるゴミの散乱の防止とプライバシーの侵害の防止。
【課題を解決するための手段】
【０００４】  勝手場の窓格子と窓を利用した、家庭用ダスターシュートを設置する。
家庭用ダスターシュートは、ゴミ箱９を入れたゴミ収集ボックス１に伸縮する伸縮筒２を設け伸縮を調整し、伸縮筒２の先に設けた投入口カバー固定台３と投入口カバー４の間に専用窓格子５を挟んで固定するものである。
ゴミ捨て時、窓１０を開けて、室内に居ながら家庭用ダスターシュートの投入口１１にゴミを捨てると、伸縮筒２内を通りゴミ収集ボックス１内のゴミ箱９に収納され、その後、窓１０を閉めることから、夜や寒い日に室外に出てゴミ捨てをすることなく、室内にゴミを溜めず、悪臭を防止する。
また、ゴミ収集ボックス１の扉に鍵を設けることから、犬、猫、カラス等にゴミ箱内を荒らされることは無く、且つ、集合住宅などではプライバシーの侵害を防止する。【０００５】  家庭用ダスターシュートを窓格子に設置するための、専用窓格子。
専用窓格子５は、投入口１１を広く確保するための格子である。
家庭用ダスターシュートの設置に関し、建物等の構造上の関係から格子の使用部位がまちまちであり、自由に設置部位を選択出来るよう、専用窓格子５は、縦格子の下部に投入口カバーの上下の位置に横格子６を２本設け、この２本の横格子６の間に取り外しが出来る短い縦格子７を設ける。
家庭用ダスターシュートをセットしたい部位で、投入口に当たる箇所の短い縦格子７を外して、家庭用ダスターシュートを設置出来る専用窓格子５である。【０００６】  家庭用ダスターシュートの、既成の窓格子に対する設置。
既成の窓格子に家庭用ダスターシュートを設置するため、
第１  既成の窓格子の隙間に対応した調整板８と調整板に対応した投入口カバー４を使用する。
投入口カバー固定台をセットした調整板と調整板に対応した投入口カバーの間に既成の窓格子を挟み固定する。
第２  縦投入口型伸縮筒の使用。
縦投入口型伸縮筒１２は、投入口を窓格子に接触させず、上方に設けたもので、縦投入口型伸縮筒の横部に設けられた縦投入口型伸縮筒固定台と縦投入口型伸縮筒固定板を使用して、既成の窓格子に設置するものである。
縦投入口型伸縮筒は、窓格子の隙間が狭くても、投入口が広く確保できるので、縦投入口型伸縮筒蓋を開けて容易にゴミ捨てが出来る。
【発明の効果】
【０００７】  家庭用ダスターシュートを窓格子に取り付けることにより、ゴミを捨てる時も室外に出ることなく、窓を開けて家庭用ダスターシュートの投入口からゴミを捨てることができ、且つ、ゴミを捨てた後、窓を閉めることから、悪臭を防止するものであり、生ゴミ等の悪臭の防止や置き場のスペースの削減に有効である。
また、家庭用ダスターシュートのゴミ収集ボックスの扉に鍵を設けることから、犬、猫、カラス等にゴミ箱を荒らされることもなく、集合住宅では、プライバシーの侵害を防止する。
家庭用ダスターシュートは、数個セットすることにより、生ゴミ、空き缶、燃えるゴミ等と分別可能になり便利である。
【図面の簡単な説明】
【０００８】
【図１】  家庭用ダスターシュート側面図
【図２】  家庭用ダスターシュート専用投入口カバー固定台及び投入口カバー、既成窓格子取付用調整板及び調整板対応投入口カバー、縦投入口型伸縮筒
【図３】  家庭用ダスターシュート専用格子図
【符合の説明】
【００９】１    ゴミ収集ボックス
２    伸縮筒
３    投入口カバー固定台
４    投入口カバー
５    専用窓格子
６    専用窓格子の横格子
７    専用窓格子の短い縦格子
８    調整板
９    ゴミ箱
１０  窓
１１  投入口
１２  縦投入口型伸縮筒
１３  縦投入口型伸縮筒固定台
１４  縦投入口型伸縮筒固定板
１５  縦投入口型伸縮筒蓋
【図１】
2005231890.tif 000003
【図２】
2005231890.tif 000004
【図３】
2005231890.tif 000005